(57)【要約】【課題】着用時には吸収性物品を着用させ易く、取り外す際には着用者の肌を拭き易い吸収性物品を提供する。【解決手段】吸収性物品（１０）は、前後方向と、前後方向に直交する幅方向と、前胴回り域（Ｓ１）と、後胴回り域（Ｓ２）と、前胴回り域と後胴回り域との間の股下域（Ｓ３）と、少なくとも股下域に設けられた吸収コア（５１）と、を有する。吸収性物品を２つ折りするための折り線（ＦＬ）が、股下域で幅方向に沿って延びている。吸収コアは、少なくとも股下域において幅方向の内側に括れた括れ領域（ＣＡ）と、幅方向における吸収性物品の中心に関して両側に形成された一対の溝（５４）と、を有する。括れ領域は、折り線に関して前後方向に延びている。吸収コアは、一対の溝どうしの間の間隔が後方に向かうにつれて拡がる後方拡幅部（５４ｒ）を有する。後方拡幅部の前端縁（５４ｓ）は、折り線よりも前側で、括れ領域と重なる領域に位置する。【選択図】図４
2019118574.tif 000002
【特許請求の範囲】
【請求項１】
前後方向と、
前記前後方向に直交する幅方向と、
前胴回り域と、
後胴回り域と、
前記前胴回り域と前記後胴回り域との間に配置された股下域と、
少なくとも前記股下域に設けられた吸収コアと、を有する吸収性物品であって、
前記吸収性物品を２つ折りするための折り線が、前記股下域で前記幅方向に沿って延びており、
前記吸収コアは、少なくとも前記股下域において前記幅方向の内側に括れた括れ領域と、前記幅方向における前記吸収性物品の中心に関して両側に形成された一対の溝と、を有し、
前記括れ領域は、前記折り線に関して前記前後方向に延びており、
前記吸収コアは、前記一対の溝どうしの間の間隔が後方に向かうにつれて拡がる後方拡幅部を有し、
前記後方拡幅部の前端縁は、前記折り線よりも前側で、前記括れ領域と重なる領域に位置する、吸収性物品。
【請求項２】
前記一対の溝の後側縁は、前記前後方向における前記括れ領域の範囲内に位置する、請求項１項に記載の吸収性物品。
【請求項３】
前記一対の溝は、前記幅方向における前記吸収コアの外側縁に達していない、請求項１又は２に記載の吸収性物品。
【請求項４】
前記吸収コアは、前記括れ領域において前記幅方向における前記吸収コアの長さが最も短い最狭部を有し、
前記吸収コアの前記最狭部は、前記前後方向に沿って延びている、請求項１から３のいずれか１項に記載の吸収性物品。
【請求項５】
前記吸収コアの前記最狭部は、前記折り線よりも後方まで延びている、請求項４に記載の吸収性物品。
【請求項６】
前記一対の溝は、前記一対の溝どうしの間の間隔が前方に向かうにつれて拡大する前方拡幅部を有する、請求項１から５のいずれか１項に記載の吸収性物品。
【請求項７】
前記股下域において前記一対の溝どうしの間の間隔は、前記幅方向における前記吸収コアの最大幅の１／４以上である、請求項１から６のいずれか１項に記載の吸収性物品。
【請求項８】
前記吸収コアは、前記括れ領域において前記幅方向における前記吸収コアの長さが最も短い最狭部を有し、
前記幅方向における前記一対の溝の外側縁は、前記吸収コアの前記最狭部よりも内側に位置する、請求項１から７のいずれか１項に記載の吸収性物品。
【請求項９】
前記前後方向に延びる防漏カフであって、前記幅方向における中心を挟んで両側に配置された一対の防漏カフを有し、
前記一対の防漏カフの後端縁の後側は、肌面側に向かって起立不能に接合されたカフ接合部を有し、
前記一対の溝が延びる方向に前記一対の溝を後方に延長した一対の仮想線は、前記幅方向において前記カフ接合部よりも外側を通る、請求項１から８のいずれか１項に記載の吸収性物品。
【請求項１０】
高剛性領域が、前記折り線よりも後側で、前記幅方向における中心を含む領域に設けられており、
前記高剛性領域は、前記折り線と前記高剛性領域との間の領域における剛性よりも高い剛性を有する領域によって規定されており、
前記前後方向における前記高剛性領域の長さが、前記折り線から前記高剛性領域の前端縁までの長さよりも長い、請求項１から９のいずれか１項に記載の吸収性物品。
【請求項１１】
前記高剛性領域の少なくとも一部は、前記一対の溝の後端縁よりも後側に位置する、請求項１０に記載の吸収性物品。
【請求項１２】
前記高剛性領域は、前記幅方向から見て前記一対の溝と重なる領域から、前記一対の溝の後端縁よりも後側へ延びている、請求項１０又は１１に記載の吸収性物品。
【請求項１３】
前記高剛性領域は、前記幅方向において、前記一対の溝どうしの間の領域に設けられている、請求項１０から１２のいずれか１項に記載の吸収性物品。
【請求項１４】
前記高剛性領域は、前記幅方向において前記一対の溝に隣接する、請求項１０から１３のいずれか１項に記載の吸収性物品。
【請求項１５】
前記高剛性領域は、前記幅方向から見て前記括れ領域と重なる領域に設けられている、請求項１０から１４のいずれか１項に記載の吸収性物品。
【発明の詳細な説明】
【技術分野】
【０００１】
本発明は、例えば使い捨ておむつのような吸収性物品に関する。
【背景技術】
【０００２】
特許文献１に記載された使い捨ておむつのような吸収性物品は、着用者の前胴回りに配置される前胴回り域（腹側部）と、着用者の後胴回りに配置される後胴回り域（背側部）と、着用者の股下に配置される股下域と、を有する。着用者の体液を吸収する吸収コアは、前胴回り域から後胴回り域にわたって延びている。
【０００３】
引用文献１に記載された吸収性物品では、吸収コアは、吸収性物品の前後方向に沿って延びる一対の非積繊部を有する。一対の非積繊部は、幅方向における吸収性物品の中心を通り前後方向に延びる中心線を基準として対称に位置する。非積繊部は、前胴回り域から後胴回り域にわたって前後方向に延びている。非積繊部は、吸収コアを構成するコア形成材料が全く存在しない貫通孔によって構成されている。
【先行技術文献】
【特許文献】
【０００４】
【特許文献１】特開２０１７−３８９１５号公報
【発明の概要】
【発明が解決しようとする課題】
【０００５】
本願発明者は、鋭意研究の結果、以下のような課題を見出した。すなわち、着用者が吸収性物品を装着した状態では、吸収性物品の股下域、特に前後方向における吸収性物品の中心付近は、着用者の両脚の間に挟まれることによって、幅方向における中心に向かって押しつぶされるように変形する。この変形に伴い、前後方向における吸収性物品の中心よりも後側の領域も幅方向における中心に向かって変形しようとする。しかしながら、前後方向における吸収性物品の中心よりも後側の領域が幅方向の中心に向かって潰れるように変形すると、臀部側において便を収容する空間（吸収コアの面積）を確保し難くなり、便の漏れを引き起こし易くなる。
【０００６】
したがって、着用中において臀部側で便を収容する空間をより確保できる吸収性物品が望まれる。
【課題を解決するための手段】
【０００７】
一態様に係る吸収性物品は、前後方向と、前記前後方向に直交する幅方向と、前胴回り域と、後胴回り域と、前記前胴回り域と前記後胴回り域との間に配置された股下域と、少なくとも前記股下域に設けられた吸収コアと、を有する。前記吸収性物品を２つ折りするための折り線が、前記股下域で前記幅方向に沿って延びている。前記吸収コアは、少なくとも前記股下域において前記幅方向の内側に括れた括れ領域と、前記幅方向における前記吸収性物品の中心に関して両側に形成された一対の溝と、を有する。前記括れ領域は、前記折り線に関して前記前後方向に延びている。前記吸収コアは、前記一対の溝どうしの間の間隔が後方に向かうにつれて拡がる後方拡幅部を有する。前記後方拡幅部の前端縁は、前記折り線よりも前側で、前記括れ領域と重なる領域に位置する。
【図面の簡単な説明】
【０００８】
【図１】一実施形態に係る吸収性物品の模式図である。
【図２】一実施形態に係る吸収性物品の展開平面図である。
【図３】図１のＡ−Ａ線に沿った吸収性物品の断面図である。
【図４】吸収性物品の吸収コアの平面図である。
【図５】股下域で幅方向の内側に力を受けた吸収コアの模式図である。
【発明を実施するための形態】
【０００９】
（１）実施形態の概要
本明細書及び添付図面の記載により、少なくとも以下の事項が明らかとなる。
【００１０】
一態様に係る吸収性物品は、前後方向と、前記前後方向に直交する幅方向と、前胴回り域と、後胴回り域と、前記前胴回り域と前記後胴回り域との間に配置された股下域と、少なくとも前記股下域に設けられた吸収コアと、を有する吸収性物品であって、前記吸収性物品を２つ折りするための折り線が、前記股下域で前記幅方向に沿って延びており、前記吸収コアは、少なくとも前記股下域において前記幅方向の内側に括れた括れ領域と、前記幅方向における前記吸収性物品の中心に関して両側に形成された一対の溝と、を有し、前記括れ領域は、前記折り線に関して前記前後方向に延びており、前記吸収コアは、前記一対の溝どうしの間の間隔が後方に向かうにつれて拡がる後方拡幅部を有し、前記後方拡幅部の前端縁は、前記折り線よりも前側で、前記括れ領域と重なる領域に位置する。
【００１１】
本態様によれば、吸収コアの括れ領域と一対の溝により、股下域の折り線及びそれより前側の領域は、着用者の両脚によって挟まれることによって、幅方向における中心に向かって押しつぶされるように変形、すなわち溝が閉じるように変形し易くなっている。着用中に着用者の脚は、折り線よりも前側に相当する位置で動くことが多いため、着用者は脚を動かしやすい。
【００１２】
また、一対の溝は、一対の溝どうしの間の間隔が後方に向かうにつれて拡がる後方拡幅部を有しており、この後方拡幅部の前端縁は折り線よりも前側で括れ領域と重なる領域に位置する。後方拡幅部の前端縁が括れ領域と重なる領域に位置するため、括れ領域の後方部分では一対の溝により幅方向内側へ吸収コアが潰れ易くなりつつも、着用者の臀部側に向かうにつれて一対の溝どうしの間の幅を広くすることができる。これにより、括れ領域の後方部分、すなわち便が付着される領域において便を収容する空間を確保することができる。
【００１３】
また、着用者の臀部と脚の境界線（肉割れ線）どうしの間の長さは、着用者の股下から背側に向かうにつれて拡がっている。後方拡幅部の前端縁は折り線よりも前側に位置することで、着用者の臀部と脚の境界線（肉割れ線）どうしの間の長さの増加に応じて、一対の溝どうしの間の幅を広げることができる。これにより、着用者の体型に合わせて臀部側において便を収容する空間を確保し易くなり、体液の漏れを抑制することができる。
【００１４】
好ましい一態様によれば、前記一対の溝の後側縁は、前記前後方向における前記括れ領域の範囲内に位置する。
【００１５】
すなわち、一対の溝の後側縁が括れ領域の範囲内に位置しており、一対の溝は括れ領域よりも後側まで延びていない。これにより、着用者の脚の可動範囲よりも後方の領域では、吸収コアが幅方向の内側に潰れにくくなり、便を収容する空間をより確保し易くなる。
【００１６】
好ましい一態様によれば、前記一対の溝は、前記幅方向における前記吸収コアの外側縁に達していない。
【００１７】
これにより、一対の溝による吸収コアの分断を防ぎ、溝を挟んで隣り合う吸収コアどうしが互いに重なるように変形することを抑制することができる。これにより、吸収コアが、幅方向においては、体液を保持し易いカップの形状、身体の形状に合わせた湾曲形状になり易い。
【００１８】
好ましい一態様によれば、前記吸収コアは、前記括れ領域において前記幅方向における前記吸収コアの長さが最も短い最狭部を有し、前記吸収コアの前記最狭部は、前記前後方向に沿って延びている。
【００１９】
本態様によれば、吸収コアの最狭部が前後方向に沿って延びているため、吸収コアが幅方向に潰れ易い領域がより長くなる。これにより、着用者は、着用中に吸収コアを挟み込んだ状態で脚をより動作し易くなる。
【００２０】
好ましい一態様によれば、前記吸収コアの前記最狭部は、前記折り線よりも後方まで延びている。
【００２１】
本態様によれば、吸収コアの最狭部が折り線よりも後方まで延びているため、吸収コアが幅方向に潰れ易い領域が後方まで延びる。これにより、着用者は、より後側まで脚を動作させ易くなる。
【００２２】
好ましい一態様によれば、前記一対の溝は、前記一対の溝どうしの間の間隔が前方に向かうにつれて拡大する前方拡幅部を有する。
【００２３】
吸収コア５１の変形起点となる一対の溝どうしの間隔が、腹側においても広がっているため、腹側において体液の吸収面積を確保し易くなり、体液の漏れをより抑制することができる。
【００２４】
好ましい一態様によれば、前記股下域において前記一対の溝どうしの間の間隔は、前記幅方向における前記吸収コアの最大幅の１／４以上である。
【００２５】
本態様によれば、一対の溝どうしの間の間隔がある程度の広を有するため、一対の溝どうしの間の領域を広く確保することができる。これにより、一対の溝どうしの間で吸収コアの面積を維持することができる。
【００２６】
好ましい一態様によれば、前記吸収コアは、前記括れ領域において前記幅方向における前記吸収コアの長さが最も短い最狭部を有し、前記幅方向における前記一対の溝の外側縁は、前記吸収コアの前記最狭部よりも内側に位置する。
【００２７】
これにより、一対の溝による吸収コアの分断を抑制することができ、溝を挟んで隣り合う吸収コアどうしが互いに重なるように変形することを抑制することができる。これにより、吸収コアが、幅方向においては、体液を保持し易いカップの形状、身体の形状に合わせた湾曲形状になり易い。
【００２８】
好ましい一態様によれば、前記前後方向に延びる防漏カフであって、前記幅方向における中心を挟んで両側に配置された一対の防漏カフを有し、前記一対の防漏カフの後端縁の後側は、肌面側に向かって起立不能に接合されたカフ接合部を有し、前記一対の溝が延びる方向に前記一対の溝を後方に延長した一対の仮想線は、前記幅方向において前記カフ接合部よりも外側を通る。
【００２９】
一対の溝が延びる方向に一対の溝を後方に延長した一対の仮想線は、吸収コアが幅方向の内側に潰れる起点となる皺が形成され易いラインとなる。このラインが幅方向においてカフ接合部よりも外側を通るため、背側の領域では、一対の防漏カフどうしの間の領域全体において吸収コアの面積を確保することができる。
【００３０】
好ましい一態様によれば、高剛性領域が、前記折り線よりも後側で、前記幅方向における中心を含む領域に設けられており、前記高剛性領域は、前記折り線と前記高剛性領域との間の領域における剛性よりも高い剛性を有する領域によって規定されており、前記前後方向における前記高剛性領域の長さが、前記折り線から前記高剛性領域の前端縁までの長さよりも長い。
【００３１】
高剛性領域は、折り線と高剛性領域との間の領域における剛性よりも高い剛性を有するため、幅方向の内側に向けて変形し難くなっている。したがって、吸収コアは、高剛性領域及びそれよりも後方の領域において、幅方向の内側に変形し難くなる。これにより、臀部側において便を収容する空間を確保し易くなり、体液の漏れを抑制することができる。
【００３２】
好ましい一態様によれば、前記高剛性領域の少なくとも一部は、前記一対の溝の後端縁よりも後側に位置する。
【００３３】
高剛性領域が、吸収コアを幅方向の内側に潰し易くする一対の溝よりも後側に位置するため、股下での着用者の脚の動かし易さと、臀部側での吸収コアの面積の確保を両立することができる。
【００３４】
好ましい一態様によれば、前記高剛性領域は、前記幅方向から見て前記一対の溝と重なる領域から、前記一対の溝の後端縁よりも後側へ延びている。
【００３５】
股下域で折り線が形成された領域は、一対の溝のおかげで、最も幅方向に潰れ易い部分となる。高剛性領域が幅方向から見て一対の溝と重なる領域は、高剛性領域のおかげで、折り線が形成された領域よりも幅方向に潰れ難い部分となる。さらに、高剛性領域の一対の溝の後端縁よりも後側へ延びた部分は、一対の溝がないため、幅方向により潰れ難い部分となる。このように、吸収コアは、股下域の折り線の位置から後方に向かうにつれて、幅方向に潰れ難くなっている。これにより、後方に向かうにつれて吸収コアの面積をより確保することができる。
【００３６】
好ましい一態様によれば、前記高剛性領域は、前記幅方向において、前記一対の溝どうしの間の領域に設けられている。
【００３７】
吸収コアを変形させる起点となる一対の溝どうしの間に高剛性領域を設けることによって、高剛性領域全体を平坦化し、吸収コアの面積をより確保することができる。
【００３８】
好ましい一態様によれば、前記高剛性領域は、前記幅方向において前記一対の溝に隣接する。
【００３９】
高剛性領域が一対の溝に隣接するため、一対の溝どうしの間の領域全体を平坦化し、吸収コアの面積をより確保することができる。
【００４０】
好ましい一態様によれば、前記高剛性領域は、前記幅方向から見て前記括れ領域と重なる領域に設けられている。
【００４１】
折り線よりも後側の領域では、高剛性領域が、幅方向から見て括れ領域と重なる領域に設けられている。これにより、吸収コアは、着用者の脚の可動範囲から後側にずれるにしたがって、幅方向に潰れ難くなっている。したがって、後方に向かうにつれて吸収コアの面積をより確保することができる。
【００４２】
（２）吸収性物品の構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４３】
図１は、一実施形態に係る吸収性物品の模式図である。図２は、一実施形態に係る吸収性物品の展開平面図である。図２は、後述するサイド係止部が展開された展開状態において吸収性物品を皺が形成されない状態まで伸長させた伸長状態を示している。図３は、図１のＡ−Ａ線に沿った吸収性物品の断面図である。図４は、吸収性物品の吸収コアの平面図である。
【００４４】
吸収性物品１０は、展開状態において互いに直交する前後方向Ｌ及び幅方向Ｗを有する。前後方向Ｌは、身体前側（腹側）と身体後側（背側）とに延びる方向によって規定される。言い換えると、前後方向Ｌは、展開された吸収性物品１０において前後に延びる方向である。また、吸収性物品１０は、前後方向Ｌと幅方向Ｗの両方の直交する厚み方向Ｔを有する。
【００４５】
吸収性物品１０は、前胴回り域Ｓ１と、後胴回り域Ｓ２と、股下域Ｓ３と、を有する。前胴回り域Ｓ１は、着用者の前胴回りに対向する領域である。後胴回り域Ｓ２は、着用者の後胴回りに対向する領域である。股下域Ｓ３は、着用者の股下に位置し、前胴回り域Ｓ１と後胴回り域Ｓ２との間に配置された領域である。
【００４６】
本実施形態では、吸収性物品１０は、前胴回り部材２０と、後胴回り部材３０と、吸収性本体４０と、を有していてよい。前胴回り部材２０は、前胴回り域Ｓ１に配置されている。後胴回り部材３０は、後胴回り域Ｓ２に配置されている。前胴回り部材２０及び後胴回り部材３０は、例えば不織布のようなシートから構成されていてよい。
【００４７】
前胴回り部材２０は、例えば、２層に重なった非肌面側シート１４と、２層に重なったカバーシート７０と、を有していてよい。図４に示す態様では、非肌面側シート１４とカバーシート７０は一体のシートから構成されている。具体的には、カバーシート７０は、非肌面側シート１４を前胴回り域Ｓ１の前端縁で折り返すことによって構成されている。この代わりに、非肌面側シート１４とカバーシート７０は別体のシートから構成されていてよい。
【００４８】
図２に示す態様では、カバーシート７０の後端縁７０ｅ付近に、幅方向Ｗに延びる第１弾性部材７１が設けられている。また、カバーシート７０は、第１弾性部材７１よりも前側で、接合部材７４、例えばホットメルト接着剤によって吸収性本体４０に接合されていてよい。
【００４９】
吸収性物品１０を前後に二分する折り線ＦＬが股下域Ｓ３を通っていてよい。折り線ＦＬは、幅方向Ｗに沿って延びている。すなわち、図１に示す状態において、吸収性物品１０は、幅方向Ｗに沿って延びる折り線ＦＬを基点に２つ折りされている。
【００５０】
幅方向Ｗにおける前胴回り域Ｓ１の端部と、幅方向Ｗにおける後胴回り域Ｓ２の端部とに、サイド係止部６０が設けられていてよい。サイド係止部６０は、幅方向Ｗにおける前胴回り域Ｓ１の端部と、幅方向Ｗにおける後胴回り域Ｓ２の端部とを互いに係止した部分によって規定される。
【００５１】
幅方向Ｗにおける前胴回り域Ｓ１の端部と、幅方向Ｗにおける後胴回り域Ｓ２の端部とが、サイド係止部６０によって係止された状態で、吸収性物品１０には、着用者の胴が通される胴回り開口部６２と、着用者の脚がそれぞれ挿入される一対の脚回り開口部６６と、が形成される。胴回り開口部６２を形成する胴回り開口縁６４は、前胴回り部材２０の前端縁と、後胴回り部材３０の後端縁とによって規定されていてよい。また、脚回り開口部６６を形成する脚回り開口縁６８は、前後方向Ｌに延びる吸収性本体４０の側辺４０ｌと、前胴回り部材２０の後側に位置する辺２０ｌと、後胴回り部材３０の前側に位置する辺３０ｌと、によって規定されていてよい。
【００５２】
ここで、図２は、サイド係止部６０における係止を解除し、吸収性物品１０を展開した状態を示している。サイド係止部６０は、前胴回り部材２０及び後胴回り部材３０のそれぞれにおいて、前後方向Ｌに沿って延びていてよい。この場合、前胴回り域Ｓ１と股下域Ｓ３との境界は、前胴回り部材２０に設けられたサイド係止部６０の後端縁によって規定されていてよい。同様に、後胴回り域Ｓ２と股下域Ｓ３との境界は、後胴回り部材３０に設けられたサイド係止部６０の前端縁によって規定されていてよい。
【００５３】
後胴回り域Ｓ２には、幅方向Ｗに伸縮可能な１本又は複数本の弾性部材３２が設けられていてよい。この代わりに、後胴回り域Ｓ２の弾性部材３２は、幅方向Ｗに伸縮可能な伸縮シートによって構成されていてもよい。
【００５４】
また、前胴回り域Ｓ１には、幅方向Ｗに伸縮可能な１本又は複数本の第２弾性部材２２が設けられていてよい。第２弾性部材２２は弾性糸によって構成されている。第２弾性部材２２は、前胴回り域Ｓ１において吸収性本体４０よりも非肌面側に設けられていてよい。さらに、前胴回り域Ｓ１に、幅方向Ｗに伸縮可能な伸縮シート９０が設けられていてもよい。伸縮シート９０は、厚み方向Ｔにおいて第２弾性部材２２と重ならない領域に設けられていてよい。
【００５５】
吸収性本体４０は、前胴回り部材２０と後胴回り部材３０とに跨って配置されている。すなわち、吸収性本体４０は、前胴回り域Ｓ１、後胴回り域Ｓ２及び股下域Ｓ３にわたって延びている。
【００５６】
吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。
【００５７】
吸収性本体４０は、少なくとも吸収体５０を含んでいる。さらに、吸収性本体４０は、吸収体５０の肌面側に位置する肌面シート４１と、吸収体５０の非肌面側に位置する非肌面シート４２と、を有していてよい。肌面シート４１は、吸収体５０の肌面側で吸収体５０を覆っていてよい。非肌面シート４２は、吸収体５０の非肌面側で吸収体５０を覆っていてよい。
【００５８】
肌面シート４１は、例えば不織布や開孔プラスチックフィルムのような透液性シートによって構成されていてよい。肌面シート４１は、１枚のシートから構成されていてもよい。この代わりに、肌面シート４１は、複数枚のシートが互いに積層された積層シートから構成されていてもよい。
【００５９】
非肌面シート４２は、不透液性シートを含んでいてよい。不透液性シートは、例えばプラスチックフィルムのような不透液性フィルムによって構成されていてよい。非肌面シート４２は、１枚のシートから構成されていてもよい。この代わりに、非肌面シート４２は、複数枚のシートが互いに積層された積層シートから構成されていてもよい。この場合、複数枚のシートのうちの少なくとも１枚が不透液性を有していてよい。
【００６０】
吸収体５０は、吸収コア５１と、吸収コアを包むコアラップ５２と、を含んでいてよい。吸収コア５１は、例えば粉砕パルプもしくは高吸収性ポリマー（ＳＡＰ）、又はこれらの混合物を含んでいてよい。コアラップ５２は、例えばティッシュ又は不織布により構成されていてよい。
【００６１】
吸収コア５１は、少なくとも股下域Ｓ３に配置されている。好ましくは、吸収コア５１は、前後方向Ｌにおいて、前胴回り域Ｓ１から後胴回り域Ｓ２にわたって延びていてよい。
【００６２】
吸収コア５１は、少なくとも股下域Ｓ３で幅方向Ｗの内側に括れた括れ領域ＣＡを有していてよい。括れ領域ＣＡは、折り線ＦＬに関して前後方向Ｌに延びていてよい。幅方向Ｗにおける吸収コア５１の最狭部ＬＡは、股下域Ｓ３に設けられていてよい。また、吸収コア５１の最狭部は、前後方向Ｌに沿って延びていてもよい。この場合、折り線ＦＷは吸収コア５１の括れ領域ＣＡを通っていてよい。
【００６３】
吸収性本体４０は、幅方向Ｗにおける肌面シート４１の両側部を覆うサイドシート４３を有していてもよい。サイドシート４３は、例えば不織布や開孔プラスチックフィルムのようなシートによって構成されていてよい。
【００６４】
吸収性本体４０は、一対の防漏カフ４６を有していてよい。一対の防漏カフ４６は、前胴回り域Ｓ１と後胴回り域Ｓ２との間を前後方向Ｌに延びており、幅方向Ｗにおける吸収性物品１０の中心を挟んで両側に配置されている。一対の防漏カフ４６は、着用者の肌に向かって立ち上がり可能な起立可能部（図２の範囲Ｂの部分）によって規定されている。
【００６５】
防漏カフ４６は、サイドシート４３と、サイドシート４３に設けられた第３弾性部材４７と、によって構成されていてよい。第３弾性部材４７は、前後方向に伸縮可能に構成されている。第３弾性部材４７は、１本又は複数本の糸ゴムを含んでいてよい。具体的一例として、幅方向Ｗにおけるサイドシート４３の内側部分は外側に折り返されており、サイドシート４３の折り返された部分に第３弾性部材４７が配置されている。また、幅方向Ｗにおけるサイドシート４３の内側縁は、肌面シート４１に接合されておらず、肌面シート４１から立ち上がり可能な自由端を構成する。
【００６６】
一対の防漏カフ４６の後端縁の後側は、肌面側に向かって起立不能に接合されたカフ接合部４６ｊを有する。図示した例では、カフ接合部４６ｊは、サイドシート４３と肌面シート４１との接合部によって規定される。なお、サイドシート４３と肌面シート４１とは、例えばホットメルト接着剤のような接着剤によって接合されていてよい。また、図示していないが、一対の防漏カフ４６の前端縁の前側も、肌面側に向かって起立不能に接合されたカフ接合部を有していてよい。
【００６７】
防漏カフ４６は、起立支点４６ａ及び起立頂点４６ｂを有する。起立支点４６ａ及び起立頂点４６ｂは、前胴回り域Ｓ１から後胴回り域Ｓ２にわたって前後方向Ｌに延びている。起立支点４６ａは、起立しない点であり、防漏カフ４６の根本に相当する。本実施形態では、起立支点４６ａは、サイドシート４３と肌面シート４１の接合部のうちの幅方向Ｗの内側の縁線に相当する。起立頂点４６ｂは、防漏カフ４６が立ち上がったときの防漏カフ４６の頂点に相当する。すなわち、起立頂点４６ｂは、防漏カフ４６の自由端である。
【００６８】
吸収性本体４０は、幅方向Ｗにおける一対の防漏カフ４６の外側の領域に、一対のギャザー４８を有していてもよい。一対のギャザー４８は、前胴回り域Ｓ１から後胴回り域Ｓ２にわたって前後方向Ｌに延びていてよい。
【００６９】
一対のギャザー４８は、吸収性本体４０を構成するシートに取り付けられた第４弾性部材４９によって構成されていてよい。第４弾性部材４９は、例えば１本又は複数本の糸ゴムであってよい。この代わりに、第４弾性部材４９は、例えば伸縮性を有する弾性シートであってもよい。第４弾性部材４９は、自然状態から伸張した状態で吸収性本体４０を構成するシートに接合されている。これにより、第４弾性部材４９は、吸収性本体４０を前後方向Ｌに収縮させるように作用し、ギャザーを形成することができる。
【００７０】
（３）吸収コアの構成
次に吸収コア５１の構成について詳細に説明する。図４は、吸収性物品１０の吸収コア５１の平面図である。
【００７１】
吸収コア５１は、後胴回り域Ｓ２において幅方向Ｗにおける中心を挟んで両側に位置する一対の後側スリット５６を有していてよい。また、吸収コア５１は、一対の後側スリット５６の間に、中央スリット５９を有していてもよい。また、吸収コア５１は、幅方向Ｗにおける吸収コア５１の両外側縁に位置する一対のサイドスリット５８を有していてもよい。ここで、スリットは、吸収コア５１を構成する吸収材料が実質的に零の領域である。
【００７２】
吸収コア５１は、幅方向Ｗにおける吸収性物品１０の中心に関して両側に形成された一対の溝５４を有していてよい。ここで、吸収コア５１の「溝」は、吸収コア５１を構成する吸収材料に形成された凹部、又は吸収材料の目付が零の領域の両方を含む概念である。
【００７３】
本態様によれば、吸収コア５１の括れ領域ＣＡと一対の溝５４により、股下域Ｓ３の折り線ＦＬ及びそれより前側の領域は、着用者の両脚によって挟まれることによって、幅方向Ｗにおける中心に向かって押しつぶされるように変形する。すなわち、吸収コア５１は、溝５４が閉じるように幅方向Ｗの内側に変形し易くなっている（図５参照）。着用中に着用者の脚は、折り線ＦＬよりも前側に相当する位置で動くことが多いため、着用者は脚を動かしやすい。
【００７４】
ここで、前述したように、括れ領域ＣＡにおいて幅方向Ｗにおける吸収コア５１の長さが最も短い最狭部ＬＡは、前後方向Ｌに沿って延びていてよい。さらに、吸収コア５１の最狭部ＬＡは、折り線ＦＬよりも後方まで延びていることが好ましい。これにより、吸収コア５１が幅方向に潰れ易い領域がより長くなる。したがって、着用者は、着用中に吸収コア５１を挟み込んだ状態で脚をより動作し易くなる。
【００７５】
吸収コア５１は、一対の溝５４どうしの間の間隔が後方に向かうにつれて拡がる後方拡幅部５４ｒを有していてよい。後方拡幅部５４ｒの前端縁５４ｓは、折り線ＦＬよりも前側で、括れ領域ＣＡと重なる領域に位置していてよい。より好ましくは、後方拡幅部５４ｒの前端縁５４ｓは、折り線ＦＬよりも前側で、括れ領域ＣＡの最狭部ＬＡと重なる領域に位置していてよい。ここで、後方拡幅部５４ｒの前端縁５４ｓは、股下域Ｓ３における一対の溝５４どうしの間の間隔が最も狭い領域から後方に向かうとともに一対の溝５４どうしの間の間隔が広がり始める点によって規定される。
【００７６】
後方拡幅部５４ｒの前端縁５４ｓが括れ領域ＣＡと重なる領域に位置するため、括れ領域ＣＡの後方部分では一対の溝５４により幅方向Ｗ内側へ吸収コア５１が潰れ易くなりつつも、後側、すなわち着用者の臀部側に向かうにつれて一対の溝５４どうしの間の幅を広くすることができる。これにより、括れ領域ＣＡの後方部分、すなわち体液が多く付着される領域において吸収コア５１が幅方向の内側に潰れにくいため、当該領域での吸収コア５１の面積を確保することができる。
【００７７】
また、着用者の臀部と脚の境界線（肉割れ線）どうしの間の長さは、着用者の股下から背側に向かうにつれて拡がっている。後方拡幅部５４ｒの前端縁５４ｓは折り線ＦＬよりも前側に位置することで、着用者の臀部と脚の境界線（肉割れ線）どうしの間の長さの増加に応じて、一対の溝５４どうしの間の幅を広げることができる。これにより、着用者の体型に合わせて臀部側において吸収コア５１の面積を確保し易くなり、体液の漏れを抑制することができる。
【００７８】
着用中に着用者の脚を動かしやすくするという観点から、一対の溝５４は、折り線ＦＬよりも後側に達していてよい。
【００７９】
また、一対の溝５４の後側縁は、前後方向Ｌにおける括れ領域ＣＡの範囲内に位置することが好ましい。すなわち、一対の溝５４の後側縁が括れ領域ＣＡの範囲内に位置しており、一対の溝５４は括れ領域ＣＡよりも後側までは延びていない。これにより、着用者の脚の可動範囲よりも後方の領域では、吸収コア５１が幅方向の内側に潰れにくくなり、吸収コア５１の面積をより確保し易くなる。
【００８０】
図示する例では、一対の溝５４の後側縁は、吸収コア５１の最狭部ＬＡよりは後方に位置する。すなわち、一対の溝５４の後側縁は、吸収コア５１の幅が広がっている領域内に位置する。これにより、吸収コア５１が幅方向の内側に潰れにくい領域が後方に向かうにつれて徐々に広がるため、折り線から後方に向かうにつれて吸収コア５１の面積を確保し易くなる。
【００８１】
股下域Ｓ３において一対の溝５４どうしの間の間隔は、幅方向Ｗにおける吸収コア５１の最大幅の１／４以上であってよい。これにより、一対の溝５４どうしの間の間隔を確保することができるため。これにより、股下域Ｓ３においても、一対の溝５４どうしの間で吸収コア５１の面積を最低限維持することができる。
【００８２】
一対の溝５４は、幅方向Ｗにおける吸収コア５１の外側縁に達していない。より好ましくは、幅方向Ｗにおける一対の溝５４の外側縁は、吸収コア５１の最狭部ＬＡよりも幅方向Ｗの内側に位置する。これにより、一対の溝４３による吸収コア５１の分断を防ぎ、溝５４を挟んで隣り合う吸収コア５１どうしが互いに重なるように変形することを抑制することができる。したがって、吸収コア５１が、幅方向Ｗにおいては、体液を保持し易いカップの形状、身体の形状に合わせた湾曲形状になり易い。
【００８３】
一対の溝５４が延びる方向、すなわち後方拡幅部５４ｒが延びる方向に一対の溝５４を後方に延長した一対の仮想線ＩＬは、幅方向Ｗにおいてカフ接合部４６ｊよりも外側を通ることが好ましい。この仮想線ＩＬは、吸収コア５１が幅方向Ｗの内側に潰れる起点となる皺が形成され易いラインとなる。すなわち、この仮想線ＩＬ上には、吸収コア５１の皺が形成され易い。この仮想線ＩＬが幅方向Ｗにおいてカフ接合部４６ｊよりも外側を通るため、この吸収コア５１の皺は、カフ接合部４６ｊどうしの間の領域には形成されにくい。したがって、一対の防漏カフ４６の後端部の領域では、一対の防漏カフ４６どうしの間の領域全体において吸収コア５１が幅方向の内側に潰れにくく、吸収コアの面積を確保し易くなる。
【００８４】
吸収コア５１は、一対の溝５４どうしの間の間隔が前方に向かうにつれて拡大する前方拡幅部５４ｆを有することが好ましい。吸収コア５１の変形起点となる一対の溝５４どうしの間隔が、腹側においても広がっているため、腹側においても吸収コアの面積を確保し易くなり、体液の漏れをより抑制することができる。
【００８５】
一対の溝５４の前側縁は、股下域Ｓ３に位置し、前側域Ｓ１に達していなくてよい。好ましくは、一対の溝５４の前側縁は、吸収コア５１の括れ領域ＣＡ内に位置する。
【００８６】
吸収コア５１は、高剛性領域ＨＲを有していてよい。高剛性領域ＨＲが、折り線ＦＬよりも後側で、幅方向Ｗにおける中心を含む領域に設けられている。高剛性領域ＨＲは、折り線ＦＬと高剛性領域ＨＲとの間の領域における剛性よりも高い剛性を有する領域によって規定されている。好ましくは、高剛性領域ＨＲは、吸収コア５１が厚み方向に圧縮されたエンボス領域によって構成されていてよい。
【００８７】
前後方向Ｌにおける高剛性領域ＨＲの長さは、折り線ＦＬから高剛性領域ＨＲの前端縁までの長さＬ１よりも長いことが好ましい。着用者が吸収性物品１０を装着した状態では、吸収性物品の股下域Ｓ３、特に前後方向Ｌにおける吸収性物品１０の中心付近は、着用者の両脚の間に挟まれることによって、幅方向Ｗにおける中心に向かって押しつぶされるように変形する。この変形に伴い、前後方向Ｌにおける吸収性物品１０の中心よりも後側の領域も幅方向Ｗにおける中心に向かって変形しようとする。この変形により、着用中に着用者の脚が動かし易くなる（図５も参照）。本態様によれば、折り線ＦＬから高剛性領域ＨＲの前端縁までの長さＬ１よりも前後方向Ｌに長い高剛性領域ＨＲが、折り線ＦＬよりも後側で、幅方向Ｗにおける中心を含む領域に設けられている。高剛性領域ＨＲは、折り線ＦＬと高剛性領域ＨＲとの間の領域における剛性よりも高い剛性を有するため、幅方向Ｗの内側に向けて変形し難くなっている。したがって、吸収コア５１は、高剛性領域ＨＲ及びそれよりも後方の領域において、幅方向Ｗの内側に変形し難くなる。臀部側において吸収コア５１が潰れ難いため、吸収コア５１の面積を確保し易くなり、体液の漏れを抑制することができる。
【００８８】
高剛性領域ＨＲの前端縁は、折り線ＦＬよりも５〜１５ｍｍ後側に位置することが好ましい。股下域Ｓ３の折り線ＦＬの位置は、着用者の脚によって強く挟まれる箇所であり、この位置が内側に変形し易くなっていることで、着用中に着用者が脚を動かしやすくなっている。その一方で、折り線ＦＬよりも５〜１５ｍｍ後側の位置よりも後方の領域は、着用者の臀部付近に対向する領域であり、この領域での吸収コア５１の面積を確保することによって体液の漏れをより抑制することができる。
【００８９】
高剛性領域ＨＲの少なくとも一部、好ましくは全部が、幅方向Ｗから見て括れ領域ＣＡと重なる領域に設けられていてよい。着用者の脚が可動する範囲において吸収コア５１が括れているため、着用者は脚を動かしやすくなっている。その一方で、折り線ＦＬよりも後側の領域では、高剛性領域ＨＲが、幅方向Ｗから見て括れ領域ＣＡと重なる領域に設けられている。これにより、吸収コア５１は、着用者の脚の可動範囲から後側にずれるにしたがって、幅方向Ｗに潰れ難くなっている。したがって、後方に向かうにつれて吸収コア５１の面積をより確保することができる。吸収コア５１の後方は着用者の臀部に対向する部分であるため、吸収コア５１は、臀部を覆うために前方の部分よりも幅方向Ｗに広い方がよい。また、吸収コア５１の後方は大便も付着することがあるが、大便は吸収コア５１に吸収されるものではない。したがって、便の漏れを抑制するためには、吸収コア５１の後方に向かうにつれて吸収コア５１の面積をより確保することが好ましい。
【００９０】
高剛性領域ＨＲの少なくとも一部は、一対の溝５４の後端縁よりも後側に位置することが好ましい。高剛性領域ＨＲが、吸収コア５１を幅方向Ｗの内側に潰し易くする一対の溝５４よりも後側に位置するため、股下での着用者の脚の動かし易さと、臀部側での吸収コア５１の面積の確保を両立することができる。
【００９１】
さらに、高剛性領域ＨＲは、幅方向Ｗから見て一対の溝５４と重なる領域から、一対の溝５４の後端縁よりも後側へ延びていることがより好ましい。すなわち、高剛性領域ＨＲの少なくとも一部は、幅方向Ｗから見て一対の溝５４と重なっていてよい。股下域Ｓ３で折り線ＦＬが形成された領域は、一対の溝５４のおかげで、最も幅方向Ｗに潰れ易い部分となる。高剛性領域ＨＲが幅方向Ｗから見て一対の溝５４と重なる領域は、高剛性領域ＨＲのおかげで、折り線ＦＬが形成された領域よりも幅方向Ｗに潰れ難い部分となる。さらに、高剛性領域ＨＲの一対の溝５４の後端縁よりも後側へ延びた部分は、一対の溝５４がないため、幅方向Ｗにより潰れ難い部分となる。このように、吸収コア５１は、股下域Ｓ３の折り線ＦＬの位置から後方に向かうにつれて、徐々に幅方向Ｗに潰れ難くなっている。これにより、後方に向かうにつれて吸収コア５１の面積を広く確保することができる。
【００９２】
幅方向Ｗにおける高剛性領域ＨＲの長さは、幅方向Ｗにおける吸収コア５１の最大長さよりも短い。これにより、幅方向における高剛性領域ＨＲの外側の領域は、着用者の身体の湾曲に応じて丸く変形する。言い換えると、吸収コア５１は幅方向においてカップ状に湾曲する。これにより、吸収コア５１が体液のような排泄物を収容する形状となり、体液の漏れがより抑制される。
【００９３】
高剛性領域ＨＲは、幅方向Ｗにおいて好ましくは吸収コア５１の外側縁よりも内側、より好ましくは吸収コア５１の最狭部ＬＡの外側縁よりも内側に設けられている。幅方向Ｗにおいて括れ領域ＣＡより内側の領域は、着用者の両脚から受ける力により幅方向Ｗの内側に力を受けやすい。高剛性領域ＨＲが、幅方向Ｗにおいて吸収コア５１の外側縁よりも内側に設けられているため、吸収コア５１は、高剛性領域ＨＲにおいて幅方向Ｗの内側に変形し難くなっている。これにより、臀部側において吸収コア５１が潰れにくく吸収コア５１の面積を確保し易くなり、体液の漏れを抑制することができる。さらに、高剛性領域ＨＲが吸収コア５１の幅方向Ｗの外側縁より内側に設けられていると、高剛性領域ＨＲが着用者の脚に直接あたりにくいため、着用者に与える違和感を抑制することができる。
【００９４】
高剛性領域ＨＲは、幅方向Ｗにおいて、一対の溝５４どうしの間の領域に設けられていることがより好ましい。この場合、高剛性領域ＨＲの一部は、一対の溝５４上に位置していてもよい。吸収コア５１を変形させる起点となる一対の溝５４どうしの間に高剛性領域ＨＲを設けることによって、股下域Ｓ３で吸収コア５１を幅方向に潰し易くしつつも、高剛性領域ＨＲ全体を平坦化して吸収コア５１の面積をより確保することができる。
【００９５】
高剛性領域ＨＲは、幅方向Ｗにおいて一対の溝５４に隣接することがより好ましい。これにより、一対の溝５４どうしの間の領域全体を平坦化し、吸収コア５１の面積をより確保することができる。
【００９６】
前述したように、高剛性領域ＨＲはエンボス領域によって構成されていてよい。エンボス領域は吸収コア５１を押圧するエンボス加工にて実施できるため、吸収性物品の製造コストを増大させることなく、高剛性領域ＨＲを形成することができる。また、エンボス領域は、吸収コア５１の型崩れし難い領域となるため、吸収コア５１の面積を確保し易くなる。
【００９７】
エンボス領域は、肌面側から非肌面側に向けて凹んだドット状の複数のエンボスを含む領域によって規定されることが好ましい。エンボス領域に形成されたエンボスが肌面側から非肌面側に向けて凹んでいると、高剛性領域ＨＲは、非肌面側に向かって凸状に曲がり易くなる。したがって、高剛性領域ＨＲは、吸収コア５１の面積を確保しつつも、着用者の身体の湾曲に応じて非肌面側に向かってなだらかな凸状に変形することができる。これにより、吸収コア５１が体液のような排泄物を収容する形状になり易く、体液の漏れがより抑制される。
【００９８】
本実施形態において、吸収性物品１０の各部の「長さ」に関する数値は、サイド係止部６０を解除して展開した吸収性物品１０の皺（折り線ＦＬを除く）がなくなるまで吸収性物品を伸長させた伸長状態において計測される。
【００９９】
また、吸収コア５１の各部分の剛性は、標準規格JIS L-1096(2010年)によって規定されるガーレー剛軟度の測定法によって測定することができる。例えば、まず、測定対象となるべき吸収コア５１から幅２５ｍｍ、長さ３８ｍｍの試験片を採取する。試験片の一方の端部、ずなわちGalley柔軟度試験機のチャックによって保持される箇所に、セロハンテープを貼り付ける。次に、Galley柔軟度試験機のチャックの下端を、試験片の寸法に合った可動アーム目盛に合わせる。次に、試験片のセロハンテープが張られた側を、チャックで挟む。この際、Galley柔軟度試験機の振り子にかかる試験片の長さが５〜６ｍｍとなるようにする。次に、Galley柔軟度試験機のメモリが３〜６の間になるように、補助おもりの重さと取り付け位置を選択し、補助おもりを取り付ける。それから、試験片が振り子の左側にある場合には左回転、右側にある場合は右回転のスイッチを押して可動アームを稼働させる。そして、試験片から振り子の回転ロッドが離れる瞬間のメモリを読む。１つの試験片につき、振り子の右回転と左回転の両方で測定する。
【０１００】
試験片の剛軟度は、以下の数式によって算出できる。
剛軟度(mN)＝（25.4×Wa＋50.8×Wb＋101.6×Wc）×（L×25.4)2×3.375×10-5×(ＲＧｒ＋ＲＧｌ）／（２×ｄ）
ここで、Waは、最も上の取り付け位置に取り付けられた重りの重量（ｇ）であり、Wbは、中央の取り付け位置に取り付けられた重りの重量（ｇ）であり、Wcは、最も下の取り付け位置に取り付けられた重りの重量（ｇ）である。Lは、可動アーム目盛（inch)である。Dは、試験片の幅（mm)である。ＲＧｒは、振り子の右回転時に試験片から振り子の回転ロッドが離れる瞬間のメモリの値である。ＲＧｌは、振り子の左回転時に試験片から振り子の回転ロッドが離れる瞬間のメモリの値である。以上の測定によって、得られた剛軟度によって、吸収コア５１の各部分の剛性が規定される。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１０２】
例えば、上記実施形態では、吸収性本体４０は、前胴回り部材２０及び後胴回り部材３０と別体として構成されている。この代わりに、吸収性本体４０は、前胴回り部材２０及び後胴回り部材３０と一体に構成されていてもよい。
【０１０３】
また、上記実施形態では、吸収性物品１０は、サイド係止部６０を有するいわゆるパンツ型の吸収性物品である。この代わりに、吸収性物品１０は、テープ型の吸収性物品であってもよい。この場合、吸収性物品１０は、サイド係止部６０を有しておらず、前胴回り域Ｓ１と後胴回り域Ｓ２とを互いに着脱可能に固定するファスニングテープを有していてよい。
【産業上の利用可能性】
【０１０４】
上記実施態様によれば、着用中において臀部側で便を収容する空間をより確保できる吸収性物品を提供することができる。
【符号の説明】
【０１０５】
１０    吸収性物品
４０    吸収性本体
５０    吸収体
５１    吸収コア
５４    溝
ＣＡ    括れ領域
ＨＲ    高剛性領域
Ｓ１    前胴回り域
Ｓ２    後胴回り域
Ｓ３    股下域
ＦＬ    折り線
Ｌ      前後方向
Ｗ      幅方向
Ｔ      厚み方向
【図１】
2019118574.tif 000003
【図２】
2019118574.tif 000004
【図３】
2019118574.tif 000005
【図４】
2019118574.tif 000006
【図５】
2019118574.tif 000007